(57)【要約】      （修正有）【課題】フラッシュライト、サイレン、録画カメラの設置工事を容易にできる映像録画型非常時発報装置を提供する。【解決手段】録画カメラ８、サイレン７、フラッシュライト５、電球６等の各部機能を機器収納ボックス９内に備えて、電源設備ボックス３内から配線しパッケージ化する。押しボタン１の入力信号を受信機２で受信して、フラッシュライト５、サイレン７、録画カメラ８、通報装置の起動を受信機２で操作する。施工工事に伴う時間を短縮しコストの増大を節約して、電源と場所があれば、例えば、自動販売機の上に、誰でも取り付けができる。【選択図】図１
0003194027.tif 000002
【実用新案登録請求の範囲】
【請求項１】
押しボタン１の入力信号を受信機２で受信して、フラッシュライト５、サイレン７、録画カメラ８、通報装置１３の起動を受信機で操作する各部機能を備えたことを特徴とする映像録画型非常時発報装置。
【考案の詳細な説明】
【技術分野】
【０００１】
本考案は、警備装置の映像録画型非常時発報が容易な非常発報録画装置に関するものである。
【背景技術】
【０００２】
警備装置の中で、カメラで録画する装置、サイレン又はフラッシュライトで非常時を報知する発報装置は、フラッシュライトの閃光やサイレンの音声による情報で周辺住民に周知し、犯人を威嚇して追放し、犯罪を未然に予防できる利点があるので、警備用の発報、及び録画装置として実用に供されている。
実用の警備装置は、釦を押して電源を入力し録画をして次いで威嚇するものである。電源を入力すると同時に監視カメラを作動して犯人の動作を録画し、録画に続いて犯人が行動を始めたらサイレンの音声を犯人の耳元で鳴らして威嚇し、フラッシュライトの閃光で威嚇するのみで充分であった。
【０００３】
しかし、非常ボタンを押すと同時に、音と光により要救助者の存在を周囲にアピールするなどに供するときには、サイレンの比較的高い音とフラッシュライトの光源による高い解像度を実現し、且つカメラの内臓により非常時に決定的瞬間の録画を可能にするため、動体検知機能付きカメラにより、動くものが現れた時だけ映像録画を十分に確保する必要がある。
それにより、SDカードへの保存時間がある程度確保され、緊急事態時の証拠画像も確実に残せる。これらの警備のために映像録画、非常時発報の各部機能がそれぞれに発揮されるようにすると各部の設備を分離独立することによってそれぞれに施工工事が必要になって施工工事に伴う時間とコストが増大していた。それらの各部機能をパッケージ化した装置にすることによって、施工工事に伴う時間を短縮しコストの増大を節約して、電源と場所があれば例えば、道路に面して設置する現場の多い自動販売機の上に、誰でも取り付けができるようにした。自動販売機の上に、映像録画装置と、非常時発報装置を一体化して取り付けることができれば、防犯灯のように作動させることができる。即ち発報動作により威嚇と録画ができるので、近隣住民に知らせると共に防犯灯及び防犯カメラの機能を併せ持った、防犯ブザーに反応して一斉作動ができる。録画台の下に強力なマグネットを埋め込み、自動販売機の上に設置したカメラの中に入っている動体検知機能により可動物を捉えると録画が開始し、可動物の動きがなくなってからも１０秒間撮影可能になる。
問題点は、カメラのデータの取り出しの簡易化、カメラの方向を変える、防犯カメラのみでは威嚇することができないなどの諸点である。電気の電源があり、道路に面して設置する現場の多い自動販売機とセットで本考案に係る映像録画型非常時発報装置を設置することによりこれらの問題点を解決した。
図１は、映像録画型非常時発報装置の電源設備ボックスと機器間接続の位置関係を示したものであり、受信機により機器を作動させる入力装置の機器間接続図を表わす。９は映像録画型非常時発報装置を構成する機器収納ボックス、１は押しボタン、２は押しボタンにより発信される４２６MHｚ帯の電波を受信する受信機である。また、入力押しボタン位置を含む受信機へ至る点線が４２６MHｚ帯の電磁波信号を表し、矢印は押しボタンにより発信される電磁波の移動方向を示している。
【０００４】
図２は、電源設備ボックス内の配線図を表わし、常時AC１００V受信機用電源、常時DC１２Vカメラ用電源、押しボタン作動時にフラッシュライト・サイレン・リレー用のDC１２V電源、押しボタン作動時に受信機側接点入力の各電源を供給する。
従来の技術は、カメラで録画する装置、非常時発報装置、サイレンによる音とフラッシュライトによる光で威嚇する装置、常夜灯のように各単体を分離独立することによってそれぞれに施工工事が必要になるので施工に伴う時間とコストが増大していた。
一般防犯機器の任意の一部を施工する用途において、この欠点は工事の施工性に関して大きな障害である。具体的には、各単体で工事をした場合には、光と音による威嚇、録画、機器間の関連情報の前後が欠けたり、あるいは、必要な機器間の相互の機能性が欠落したりするなどの問題があった。
【０００５】
この改善策として、押しボタンにより発信される４２６MHｚの受信機を機器間に組み合わせて機器相互間の機能性を向上する方法がある。図２は、電源設備ボックス内の配線図を表わす説明図であり、常時AC１００V受信機用電源、常時DC１２Vカメラ用電源、押しボタン作動時にフラッシュライト・サイレン・リレー用のDC１２V電源、押しボタン作動時に発信される電波の受信機側接点入力の各電源を供給する。
【先行技術文献】
【特許文献】
【０００６】
【特許文献１】特開２０１４−５２９１７号公報
【特許文献２】特開２００２−２４５５７２号公報
【考案の概要】
【考案が解決しようとする課題】
【０００７】
解決しようとする問題点は、常時AC１００V受信機用電源、常時DC１２Vカメラ用電源、押しボタン作動時にフラッシュライト・サイレン・リレー用のDC１２V電源、押しボタン作動時に発信される信号を受ける受信機側接点入力の各電源を供給できない点である。
【課題を解決するための手段】
【０００８】
本考案は、常時AC１００V受信機用電源、常時DC１２Vカメラ用電源、押しボタン作動時にフラッシュライト・サイレン・リレー用のDC１２V電源、押しボタン作動時に受信機側接点入力の各電源を供給することを最も主要な特徴とする。
【考案の効果】
【０００９】
本考案は、常時AC１００V受信機用電源、常時DC１２Vカメラ用電源、押しボタン作動時にフラッシュライト・サイレン・リレー用のDC１２V電源、押しボタン作動時に受信機側接点入力電源、リレー１２を介して通報装置１３に出力する機能を備えた各電源を電源設備ボックス３に備え、映像録画型非常時発報装置の機器収納ボックス９にパッケージ化して供給するという利点がある。
【図面の簡単な説明】
【００１０】
【図１】図１は映像録画型非常時発報装置の機器間接続図の実施方法を示した説明図である。（実施例１）
【図２】図２は電源設備ボックス内配線図の実施方法を示した説明図である。（実施例１）
【考案を実施するための形態】
【００１１】
電球(常夜灯)とカメラは、電源設備ボックスを介して常時作動しているが、更に非常時に押しボタンから信号を受信機へ入力すると、受信機から押しボタン作動時受信機側接点に出力された信号が電源設備ボックス内の端子台を介して、フラッシュライト、サイレン、リレーの各接点に入力され同時に複数の部品を起動させて、音と光による威嚇、カメラによる録画、周囲に発報して犯罪が既遂になる以前に未然に防犯するという目的を実現した。
【実施例１】
【００１２】
図１は、本考案装置の１実施例の機器間接続図であって、１は押しボタン、２は受信機、３は電源設備ボックス、４はEEスイッチ、５はフラッシュライト、６は電球（常夜灯）、７はサイレン、８は録画用カメラである。図２はAC１００V電源から端子台１１を介して入力される常時ＡＣ１００Ｖの受信機用電源と、コンセント１０と端子台１１を介し接続する常時DC１２Vのカメラ用電源、さらに、押しボタン１の作動時に受信機側接点に入力する端子を設けている電源設備ボックス内配線図である。１２Ｖ変換用コンセント１０は、ＡＣ１００ＶからＤＣ１２Ｖへの変換用である。１２は、端子台１１から配線される信号リレー、リレー信号は更に通報装置１３へ配線することにより、押しボタン作動接点を受けた時、ＤＣ１２Ｖの電源を入り切りし、その信号を用いて通報装置１３が作動する。通報装置とは、押しボタン作動時接点を受けることにより、事前登録をされた電話番号へ異常の発生をアナウンスする装置である。異常のアナウンスの他、ＳＭＳ(電話回線を用いたテストメールサービス)を用いて、登録の番号、アドレスへ一斉に通報することもできる。
【００１３】
押しボタン１は４２６MHｚ帯の信号を発信して受信機２に入力しており、受信機２は電源設備ボックス３内部の配線図によって配線した、常時AC１００Vの受信機電源と、押しボタン作動時受信機側接点入力に接続されている。押しボタン１からの入力により受信機２が受けた４２６ＭＨｚの信号は１２Ｖ変換用コンセント１０と端子台１１からフラッシュライト５、サイレン７・リレー１２に入力される。
受信機、カメラ、押しボタン作動時に起動するフラッシュライト・サイレン・リレー用の各機器の電源は電源設備ボックス内の配線図に表わす１２Ｖ変換用コンセント１０と端子台１１に接続されている。
【産業上の利用可能性】
【００１４】
本考案に係る映像録画型非常発報装置は、自動販売機のような電源のあるところであれば簡単な工事で設置が容易にできる利点がある。通報装置を設備することにより、周辺へ非常時を知らせるだけでなく、非常時の発生を確実に知らせることが可能となる。
【符号の説明】
【００１５】
１    押しボタン
２    受信機
３    電源設備ボックス
４    EEスイッチ
５    フラッシュライト
６    電球(常夜灯)
７    サイレン
８    カメラ
９    機器収納ボックス
１０    １２Ｖ変換用コンセント
１１    端子台
１２    リレー
１３    通報装置
【図１】
0003194027.tif 000003
【図２】
0003194027.tif 000004